(57)【要約】【課題】筐体への取付箇所が回動支点となるように取り付けられたモータ取付板を備えた場合であっても、ベルトの張り具合の調整を容易に行うことである。【解決手段】モータ取付板１６には、駆動モータ１１を取り付けるとともに筐体に取付箇所が回動支点１７となるように取り付け、外側金具１９の底板プレート２４には貫通ナット２６ａ、２６ｂで螺合して調整用ボルト２２を支持し、調整用ボルト２２の先端部は内側金具１８に固定し、調整用ボルト２２の回動動作により内側金具１８を外側金具１９内で摺動させ、これにより、モータ取付板１６を上下させてベルトの張り具合を調整する。【選択図】図１
2009180237.tif 000002
【特許請求の範囲】
【請求項１】
駆動モータの回転軸に設けられたプーリと負荷機器の回転軸に設けられたプーリとの間にベルトを巻き付けて負荷機器を駆動するベルト駆動装置の前記ベルトの張り具合を調節するためのベルト調整装置において、
前記駆動モータや前記負荷機器を収納する筐体への取付箇所が回動支点となるように取り付けられ前記駆動モータを取り付けたモータ取付板と、
前記モータ取付板の前記回動支点と逆方向の部分に取り付けられた内側金具と、
前記内側金具と係合し前記モータ取付板の回動によって連動する前記内側金具を摺動させる底部に底板プレートを有した外側金具と、
前記外側金具の底板プレートには貫通ナットで螺合して支持され先端部は前記内側金具に固定されその回動動作により前記内側金具を前記外側金具内で摺動させる調整用ボルトとを備えたことを特徴とするベルト調整装置。
【請求項２】
駆動モータの回転軸に設けられたプーリと負荷機器の回転軸に設けられたプーリとの間にベルトを巻き付けて負荷機器を駆動するベルト駆動装置の前記ベルトの張り具合を調節するためのベルト調整装置において、
前記駆動モータや前記負荷機器を収納する筐体への取付箇所が回動支点となるように取り付けられ前記駆動モータを取り付けたモータ取付板と、
前記モータ取付板の前記回動支点と逆方向の部分に取り付けられ底部に底板プレートを有した内側金具と、
前記内側金具と係合し前記モータ取付板の回動によって連動する前記内側金具を摺動させる底部に底板プレートを有した外側金具と、
前記外側金具の底板プレートには貫通ナットで螺合して支持され先端部は前記内側金具の底板プレートに固定されその回動動作により前記内側金具を前記外側金具内で摺動させる調整用ボルトとを備えたことを特徴とするベルト調整装置。
【発明の詳細な説明】
【技術分野】
【０００１】
本発明は、駆動モータの回転軸に設けられたプーリと負荷機器の回転軸に設けられたプーリとの間にベルトを巻き付けて負荷機器を駆動するベルト駆動装置におけるベルトの張り具合を調節するためのベルト調整装置に関する。
【背景技術】
【０００２】
駆動モータの回転軸に設けられたプーリと、負荷機器の回転軸に設けられたプーリとの間にベルトを巻き付けて負荷機器を駆動するベルト駆動装置としては、例えば、ファンドラムを負荷機器とした空調パッケージがある。
【０００３】
図５は従来の空調パッケージにおけるベルト駆動装置の一例を示す斜視図であり、図６は図５に示したベルト駆動装置のベルト調整装置部分の平面図である。駆動モータ１１の回転軸にはプーリ１２が設けられ、一方、負荷機器１３であるファンドラムの回転軸にもプーリ１４が設けられ、これらプーリ１２、１４の間にベルト１５が巻き付けられて負荷機器１３を駆動モータ１１で駆動するように構成されている。
【０００４】
駆動モータ１１はモータ取付板１６に取り付けられており、モータ取付板１６は駆動モータ１１や負荷機器１３を収納する図示省略の筐体に対し、その取付箇所が回動支点１７となるように取り付けられている。一方、モータ取付板１６の回動支点１７と逆方向の部分には内側金具１８が取り付けられており、内側金具１８は外側金具１９の内側に係合しモータ取付板１６の回動支点１７での回動に連動して外側金具１９の内側を摺動するように構成されている。
【０００５】
そして、モータ取付板１６を回動してベルト１５の張り具合を調整し、調整位置で内側金具１８と外側金具１９とをスライド固定ボルト２０にて固定するようになっている。スライド固定ボルト２０は外側金具１９の側面に設けられた開口部２１に挿入され、内側金具１８の設けられた図示省略のナットに螺合して外側金具１９に内側金具１８を固定する。ベルト１５はプーリ１２、１４に対して着脱可能となっており、プーリ１２、１４の間の距離をモータ取付板１６の回動位置を調節することで増減し、ベルト１５の張り具合を調整する。
【０００６】
図７はベルト調整装置でのベルトの張り具合の調整の仕方の説明図であり、図７（ａ）はベルトを緩めた状態、図７（ｂ）はベルトの張り具合を調整した状態を示している。すなわち、ベルトを交換する際には、図７（ａ）に示すように、モータ取付板１６を回動支点１７を中心に回転半径に沿って上側に持ち上げ、負荷機器側のプーリ１４とモータ側のプーリ１２の間の距離を短距離Ｌ１としてベルト１５を緩める。一方、適度なベルト１５の張り具合とするには、モータ取付板１６を回動支点１７を中心に回転半径に沿って下側に下げ、負荷機器側のプーリ１４とモータ側のプーリ１２の間の距離を適正距離Ｌ２とする。このように、ベルト１５の張り具合を調整する際は、モータ取付板１６を回動支点１７により上下させることにより、駆動モータ１１側のプーリ１２を上下させ、これにより、適正な張力の位置でスライド固定ボルト２０により固定する。
【０００７】
ここで、ベルト調整装置として、二つの平行な回転軸にそれぞれ固定されたプーリにベルトを巻き掛けたベルト駆動装置のベルト張力を調整する場合に、回転軸に平行な軸に回転自在に支持されたテンションプーリを設け、そのテンションプーリを機械フレームに設けず駆動モータのフランジ部に取り付けて、フランジ部を回転するだけで張力を調整できるようにしたものがある（例えば、特許文献１参照）。
【０００８】
また、モータの回転軸に結合された駆動プーリの取り付け位置よりも先端側に、駆動プーリとは独立して、回転軸と一体的に回転可能な合成樹脂からなる抜け止め部材を構成するスペーサを取り付け、摺動子受が金属ケースの末端側で停止するのに伴って、ベルトが停止して、駆動プーリとモータの回転軸との間でスリップが発生しても、駆動プーリが回転軸から外れるのを防止できるようにしたものがある（例えば、特許文献２参照）。
【特許文献１】特開平７−２９３６４７号公報
【特許文献２】特開２００７−１９２５５号公報
【発明の開示】
【発明が解決しようとする課題】
【０００９】
しかし、従来のベルト調整装置では、ベルト１５の張り具合を調整する際にモータ取付板１６を作業者の力により押し下げることになり、適正な張力を得た位置でモータ取付板１６を保持するには大きな力を必要とする。また、適正位置での固定には工具を使用したスライド固定ボルト２０の締め付けが必要であるため、２人の作業者で行うことが必要となる。１人でこの作業を行った場合は、ベルト１５の張力不足やスライド固定ボルト２０の緩みが発生することがあり、異音発生の原因やファン回転不良による冷房効果の低下となることがある。また、微妙な張力調整は困難となる。
【００１０】
また、特許文献１のものでは、回転軸に平行な軸に回転自在に支持されたテンションプーリを有したものであり、筐体への取付箇所が回動支点となるように取り付けられモータ取付板を備えたベルト調整装置には適用することができない。同様に、特許文献２についても筐体への取付箇所が回動支点となるように取り付けられモータ取付板を備えたベルト調整装置には適用することができない。
【００１１】
本発明の目的は、筐体への取付箇所が回動支点となるように取り付けられたモータ取付板を備えた場合であっても、ベルトの張り具合の調整を容易に行うことができるベルト調整装置を提供することである。
【課題を解決するための手段】
【００１２】
請求項１の発明に係わるベルト調整装置は、駆動モータの回転軸に設けられたプーリと負荷機器の回転軸に設けられたプーリとの間にベルトを巻き付けて負荷機器を駆動するベルト駆動装置の前記ベルトの張り具合を調節するためのベルト調整装置において、前記駆動モータや前記負荷機器を収納する筐体への取付箇所が回動支点となるように取り付けられ前記駆動モータを取り付けたモータ取付板と、前記モータ取付板の前記回動支点と逆方向の部分に取り付けられた内側金具と、前記内側金具と係合し前記モータ取付板の回動によって連動する前記内側金具を摺動させる底部に底板プレートを有した外側金具と、前記外側金具の底板プレートには貫通ナットで螺合して支持され先端部は前記内側金具に固定されその回動動作により前記内側金具を前記外側金具内で摺動させる調整用ボルトとを備えたことを特徴とする。
【００１３】
請求項２の発明に係わるベルト調整装置は、駆動モータの回転軸に設けられたプーリと負荷機器の回転軸に設けられたプーリとの間にベルトを巻き付けて負荷機器を駆動するベルト駆動装置の前記ベルトの張り具合を調節するためのベルト調整装置において、前記駆動モータや前記負荷機器を収納する筐体への取付箇所が回動支点となるように取り付けられ前記駆動モータを取り付けたモータ取付板と、前記モータ取付板の前記回動支点と逆方向の部分に取り付けられ底部に底板プレートを有した内側金具と、前記内側金具と係合し前記モータ取付板の回動によって連動する前記内側金具を摺動させる底部に底板プレートを有した外側金具と、前記外側金具の底板プレートには貫通ナットで螺合して支持され先端部は前記内側金具の底板プレートに固定されその回動動作により前記内側金具を前記外側金具内で摺動させる調整用ボルトとを備えたことを特徴とする。
【発明の効果】
【００１４】
本発明によれば、外側金具の底板プレートに貫通ナットで螺合して調整用ボルトを支持し、調整用ボルトの先端部を内側金具に固定して、その回動動作により内側金具を外側金具内で摺動させてモータ取付板を上下させ、駆動モータの回転軸に設けられたプーリと負荷機器の回転軸に設けられたプーリとの間のベルトの張り具合の調整を行うので、筐体への取付箇所が回動支点となるように取り付けられたモータ取付板を備えた場合であっても、ベルトの張り具合の調整を容易に行うことができる。
【００１５】
これにより、ベルト調整は１人で作業可能となり、また調整後の緩みが無くなる。また、ベルトの張り調整をしながら固定する労力が不要となり、誰でもベルトの交換や調整が可能となる。
【発明を実施するための最良の形態】
【００１６】
図１は本発明の実施の形態に係わるベルト調整装置を適用したベルト駆動装置の斜視図、図２は図１に示したベルト駆動装置のベルト調整装置部分の側面図、図３は図１に示したベルト駆動装置のベルト調整装置部分の斜視図、図４は図３に示したベルト調整装置部分の調整用ボルトの取付の説明図である。本発明の実施の形態は、図５に示した従来例に対し、内側金具１８の位置決めをするための調整用ボルト２２を追加して設けたものである。図５と同一要素には同一符号を付し重複する説明は省略する。
【００１７】
内側金具１８には底板プレート２３が設けられ、外側金具１９には底板プレート２４が設けられている。これら底板プレート２３、２４に調整用ボルト２２が設けられる。調整用ボルト２２の先端部は、ナット２５ａ、２５ｂで内側金具１８の底板プレート２３を挟み込んで内側金具１８に固定される。ナット２５ａ、２５ｂは調整用ボルト２２を内側金具１８の底板プレート２３に固定するストッパーの役目をし、調整用ボルト２２の上下方向の移動に連動して内側金具１８を上下方向に移動させる。
【００１８】
一方、外側金具１９の底板プレート２４には調整用ボルト２２を貫通する雌ねじが施され、貫通ナット２６ａ、２６ｂで外側金具１９の底板プレート２４を挟み込んで外側金具１９に螺合して支持される。これにより、調整用ボルト２２を回動させたとき、調整用ボルト２２は外側金具１９の底板プレート２４の位置から上方向に突出したりあるいは下方向に引っ込んだりする往復運動をし、調整用ボルト２２の先端部の内側金具１８を外側金具１９内で上下に摺動させる。
【００１９】
このように、内側金具１８に底板プレート２３を取り付けるとともに外側金具１９に底板プレート２４を取り付け、外側金具１９に底板プレート２４を貫通するように調整用ボルト２２を取り付ける。すなわち、外側金具１９の底板プレート２４は貫通ナット２６ａ、２６ｂにより調整用ボルト２２が上下できる構造とし、内側金具１８の底板プレート２３は貫通穴部分で調整用ボルト２２の先端部分をナット２５ａ、２５ｂのストッパーにより挟みこんだ形状で保持させる。
【００２０】
そして、調整用ボルト２２を組み込んだ形状により、外側金具１９の底板プレート２４に貫通ナット２６ａ、２６ｂを固定して、調整用ボルト２２を回動させると、モータ取付板１６が回動支点１７を中心に回転半径に沿って上下することとなる。これにより、負荷機器側プーリ１４とモータ側プーリ１２と間の距離が変化する。
【００２１】
この場合、調整用ボルト２２は外側金具１９の底板プレート２４に施された雌ねじで螺合して支持されているので、作業員が手を離してもモータ取付板１６が回動支点１７を中心に回動することはない。従って、負荷機器側プーリ１４とモータ側プーリ１２と間の調整した距離が作業員が手を離しても変動することはない。なお、負荷機器側プーリ１４とモータ側プーリ１２と間の距離を調整完了したときは、外側金具１９の開口部２１からスライド固定ボルト２０を挿入し、図２に示す内側金具１８のナット２７にスライド固定ボルト２０を締め付けて、内側金具１８を外側金具１９に固定する。
【００２２】
ベルト交換時は、図７（ａ）のように、調整用ボルト２２を回動して内側金具１８の底板プレート２３を上方向に移動させ、モータ取付板１６を上方向に移動することで、プーリ１２、１４の間の距離が短距離Ｌ１となるようにする。これにより、容易にベルトの交換ができる。
【００２３】
また、ベルト交換後は、図７（ｂ）に示すように、調整用ボルト２２を回動して内側金具１８の底板プレート２３を下方向に移動させ、モータ取付板１６を下方向に移動することで、プーリ１２、１４の間の距離がベルト長である距離Ｌ２となるようにする。そして、規定の遊び（余裕）を調整後にスライド固定ボルト２０を締め付けて固定する。
【００２４】
これにより、ベルト調整は１人での作業が可能となり、またベルト調整後の緩みが無くなる。ベルトの張り調整をしながら固定する労力が不要となり、誰でも容易にベルトの交換や調整が可能となる。
【００２５】
以上の説明では、内部金具１８に底面プレート２３を設けた場合について説明したが、内部金具１８に取り付けられるモータ取付板１６の一部を底面プレートとして使用するようにしてもよい。
【００２６】
本発明の実施の形態によれば、ベルト１５の張り具合を調整する際は、外側金具１９の底板プレート２４に施された雌ねじで螺合して支持された調整用ボルト２２を回動してモータ取付板１６を上下し、モータ側プーリ１２を上下させて適正な張力の位置に調整するので、適正位置の固定が容易に行える。従って、２人の作業者で行うことなく微妙な張力調整ができ、スライド固定ボルト２０の締め付けも容易に行えるので、ベルト１５の張力不足やスライド固定ボルト２０の緩みが発生することがない。これにより、異音発生の原因やファン回転不良による冷房効果の低下を避けることができる。
【図面の簡単な説明】
【００２７】
【図１】本発明の実施の形態に係わるベルト調整装置を適用したベルト駆動装置の斜視図。
【図２】図１に示したベルト駆動装置のベルト調整装置部分の側面図。
【図３】図１に示したベルト駆動装置のベルト調整装置部分の斜視図。
【図４】図３に示したベルト調整装置部分の調整用ボルトの取付の説明図。
【図５】従来の空調パッケージにおけるベルト駆動装置の一例を示す斜視図。
【図６】図５に示したベルト駆動装置のベルト調整装置部分の平面図。
【図７】ベルト調整装置でのベルトの張り具合の調整の仕方の説明図。
【符号の説明】
【００２８】
１１…駆動モータ、１２…プーリ、１３…負荷機器、１４…プーリ、１５…ベルト、１６…モータ取付板、１７…回動支点、１８…内側金具、１９…外側金具、２０…スライド固定ボルト、２１…開口部、２２…調整用ボルト、２３、２４…底板プレート、２５…ナット、２６…貫通ナット、２７…ナット
【図１】
2009180237.tif 000003
【図２】
2009180237.tif 000004
【図３】
2009180237.tif 000005
【図４】
2009180237.tif 000006
【図５】
2009180237.tif 000007
【図６】
2009180237.tif 000008
【図７】
2009180237.tif 000009